(57)【特許請求の範囲】
【請求項１】
住宅であって、陰圧室とその前室を有し、
該陰圧室は給気口と換気扇および１か所の出入り口を有し、
該出入り口は該前室に通じており、
該前室は換気扇と給気口と２か所の出入り口を有し、
該２か所の出入り口の内の１か所は上記陰圧室に通じており、もう一つの出入り口は該住宅内の廊下に通じており、
該２か所の出入り口は気密性ドアを有しており、
該陰圧室は換気扇を２台有しており、そのうち１台は該陰圧室の出入り口から離れた場所に設置され、他の１台の換気扇は該陰圧室の出入り口の近傍に設置されている
ことを特徴とする住宅。
【発明の詳細な説明】
【技術分野】
【０００１】
本発明は陰圧室を有する住宅に関するものである。
【背景技術】
【０００２】
２０１９年に発生した新型コロナウィルス感染は２０２０年には日本も含め世界中に蔓延し２０２１年には新型コロナウィルスワクチンの接種が日本でも開始されたが８月現在においても感染が拡大し続けている。２０２１年８月現在日本では感染した患者は重症の場合は病院に入院できるが、医療体制が逼迫するため中等症及び軽症者は入院できず自宅で療養せざるを得ない事態となっている。コロナウィルス患者を受け入れた病院では感染クラスターの発生を防ぐため患者は厳重に隔離されている。一方、自宅で療養する患者の場合はそのような隔離はできないので同居する家族や親族に感染してしまう危険が非常に大きい。
【０００３】
本願発明の目的は、コロナウィルス感性症をはじめ空気感染や飛沫感染する感染症の患者が自宅療養する時、同居する家族や親族に感染する危険の少ない住宅を提供することである。すなわち、患者を隔離できるとともに患者が通常の生活に近い生活を送れる構造を有する住宅を提供する。
【０００４】
室内や作業空間内の汚染物質や病原菌などを外部に拡散しないようにする技術はクリーンルーム（特許文献１）やクリーンベンチ（特許文献２）などで確立されているが、住宅において感染症患者が自宅療養する際に同居する家族や親族への感染を防ぐことができる構造は確立されていない。
【先行技術文献】
【特許文献】
【０００５】
【特許文献１】特開２０００−３２０８７２
【特許文献２】再公表特許Ｗ０２００５／１１９１３１
【発明の概要】
【発明が解決しようとする課題】
【０００６】
本願発明が解決しようとする課題は感染症患者用の居室を有しその居室から感染症患者から発散するウィルス粒子や病原菌（以後ウィルス粒子や病原菌を総称して病原体と呼ぶ）が室外に拡散することを防止できる仕組み及びその居室への人の出入りの際にも病原体が室外に漏出し拡散することを防止する仕組みを有しており、同居する家族への感染リスクが非常に低い住宅を提供することである。
【課題を解決するための手段】
【０００７】
本願発明者は鋭意検討を重ねた結果、感染症患者の居住する部屋を陰圧に保ち、患者から発散する病原体を該部屋に設置した換気扇により住宅外に直接排出することにより、病原体が住宅内に拡散することを防止できることに思い至った。以後、この陰圧に保つ患者の居住用の部屋を陰圧室と呼ぶ。
【０００８】
陰圧室には給気口と換気扇を設置する。換気扇は２台設置する。そのうち１台は陰圧室の出入り口から離れた場所に設置し一日２４時間連続運転する。もう１台は陰圧室の出入り口の近傍に設置し陰圧室に人が出入りする時のみ運転する。陰圧室は陰圧を維持するため気密性を高くしＣ値を１以下にすることが望ましい。
【０００９】
患者や家族など人が陰圧室に出入りする際に陰圧室内の病原体が人と共に陰圧室外に漏れ出て住宅内に拡散することを防ぐため、陰圧室に接して前室を設ける。陰圧室の出入り口は前室へ通じる１か所のみとし、陰圧室への出入りは前室を通してしかできないようにする。人が陰圧室から前室へ出入りする際は陰圧室の２台目の換気扇を運転することにより陰圧室が前室よりも陰圧となるため陰圧室の空気の前室への移動は極めて僅かとなる。従って陰圧室内の空気中に浮遊している病原体の前室への漏出は極めて僅かとなる。
【００１０】
前室には換気扇を設ける。前室の空気は該換気扇により直接住宅外に排出される。前室は２か所の出入り口を有し、該２か所の出入り口の内の１か所は上記陰圧室に通じており、もう一つの出入り口は該住宅内の廊下に通ずるようにする。上記２か所の出入り口には気密性ドアを設ける。これによって前室内も陰圧となり人が前室から廊下に出入りする際の前室内の空気の廊下への移動は前室が陰圧であるため極めて僅かとなる。従って前室内の空気中に浮遊している可能性のある極めて僅かな病原体の廊下への漏出も極めて僅かとなる。  
【００１１】
第１の発明に係る住宅は陰圧室とその前室を有することを特徴とするものである。
【００１２】
第２の発明に係る住宅は第１の発明に係る住宅であって、上記陰圧室は給気口と換気扇および１か所の出入り口を有し、該出入り口は上記前室に通じており、該前室は換気扇と２か所の出入り口を有し、該２か所の出入り口の内の１か所は該陰圧室に通じており、もう一つの出入り口は該住宅内の廊下に通じており、該２か所の出入り口は気密性ドアを有していることを特徴とするものである。
【００１３】
第３の発明にかかる住宅は第２の発明に係る住宅であって、上記陰圧室は換気扇を２台有しており、そのうち１台は該陰圧室の出入り口から離れた場所に設置され、他の１台の換気扇は該陰圧室の出入り口の近傍に設置されていることを特徴とするものである。
【発明の効果】
【００１４】
本願発明に係る住宅においては、感染症の患者は陰圧室を専用の居住室とすることにより、患者から発散する病原体は陰圧室に設置された換気扇により直接住宅外へ排出され住宅内部に拡散することはなく、該陰圧室への人の出入りの際に病原体が陰圧室及び前室から住宅のそれ以外の部分へ漏出するリスクが極めて低いので、家族に感染させるリスクが極めて低い状態を保って自宅療養ができる。
【図面の簡単な説明】
【００１５】
【図１】実施例１に係る住宅の２階の間取り図である。
【図２】実施例１に係る住宅の１階の間取り図である。
【図３】実施例１に係る住宅の陰圧室及び前室を通る垂直な面で切断した断面図である。
【発明を実施するための形態】
【００１６】
つぎに、本発明の実施形態を説明するが、本発明の技術的範囲を逸脱しない範囲において様々な変更や修正が可能であることは言うまでもない。
【実施例１】
【００１７】
図１は本発明に係る住宅の一実施例の２階の間取り図である。また図２は該実施例の１階の間取り図である。陰圧室１は２階の図の右上角に配置されている。陰圧室に接して前室２が設けられている。陰圧室の右側壁面に給気口３（自然給気口ＶＧＰ１００ＳＦ、マックス株式会社）が設置されている。陰圧室には換気扇が２台設置されており、１台は出入り口から最も離れた場所であるクローゼット５の天井に設置されている天井埋込形換気扇４−１（ＦＹ−２４ＪG８Ｖ／１５、パナソニックエコシステムズ株式会社であり）、もう一台は出入り口近傍の天井に設置されている天井埋込形換気扇４−２（ＦＹ−１７Ｊ８Ｖ／５６、パナソニックエコシステムズ株式会社）である。クローゼット内の天井埋込形換気扇４−１は常時連続運転し、出入り口前の天井埋込形換気扇４−２は人が出入りする時のみ運転する。なおクローゼット内に設置した換気扇４−１の換気性能は出入り口近傍の天井に設置した換気扇４−２および後述する前室２に設置した換気扇１０の換気性能よりも高い。
【００１８】
連続運転する換気扇４−１を陰圧室の出入り口から離れた場所に設置しているため患者から発散する病原体は出入り口付近に滞留することなく出入り口から離れた場所から住宅外に排出されていく。このため人が陰圧室に出入りする際に病原体が陰圧室から前室に漏出するリスクは極めて低くなる。また人が出入りする時のみ運転する換気扇４−２を出入り口近傍の天井に設置しているため患者が陰圧室に出入りする際患者の周囲の雰囲気に浮遊する病原体はこの換気扇４−２により住宅外に排出され前室に漏出あるいは残存するリスクが低減される。
【００１９】
陰圧室と前室の間に気密性のドア７（防音ドア、アドバンスＡ  ＡＵ０、大建工業株式会社）が設置されている。陰圧室の窓８にはＡ４等級のサッシ（エピソードII  ＮＥＯたてすべり出し窓、ＣＸＶ０２６０９，ＹＫＫＡＰ株式会社）が用いられている。陰圧室のＣ値（相当隙間面積）は１．０以下とすることが望ましい。陰圧室の気密性が高く天井埋込形換気扇４−１を常時連続運転することにより陰圧室の気圧は陰圧室外の気圧よりも低く維持され、また人が陰圧室に出入りする際は天井埋込形換気扇４‐２を運転することにより、病原体を含む飛沫は天井埋込形換気扇により住宅外に排出され、前室や住宅の陰圧室以外の部分に漏出するリスクを極めて低くすることができる。
【００２０】
人が前室と陰圧室の間を出入りする際の天井埋込形換気扇４‐２の運転のオン、オフは、出入り口の陰圧室側と前室側にスイッチを設け、出入りする人がドア７を開く前にスイッチをオンにし、出入りした後にオフにする仕組みや、自動ドアの開閉のように人が前室あるいは陰圧室でドア７の前に立った時に自動的に天井埋込形換気扇４‐２がオンになり、人がドア７の前から去った時に自動的にオフになる仕組み、あるいは天井埋込形換気扇４‐２が、ドア７が開いた時に自動的にオンになりドア７が閉じたときに自動的にオフになる仕組みなどが採用できる。
【００２１】
前室２の出入り口は陰圧室への出入り口と廊下１２への出入り口の２か所のみである。廊下への出入り口にも気密性のドア９（防音ドア、アドバンスＡ  ＡＵ０、大建工業株式会社）が設置されている。前室の天井には天井埋込形換気扇１０（ＦＹ−１７Ｊ８Ｖ／５６、パナソニックエコシステムズ株式会社）が設置されている。また前室の廊下への出入り口近傍の天井に給気口１１（自然給気口ＶＧＰ１００ＳＦ、マックス株式会社）が設置されている。天井埋込形換気扇１０は常時連続運転する。このため前室の気圧は廊下の気圧よりも低いため廊下から前室に人が出入りする際に前室の空気の廊下への流出は僅かなものとなる。また病原体を含む飛沫が浮遊する空気は天井埋込形換気扇を通して住宅外に排出される。
【００２２】
２階のトイレ１７には換気扇２０−１が設置されており１日２４時間連続運転する。患者がトイレを使用する際患者から発散する病原体は住宅外に排出され、トイレから住宅内に拡散するリスクは低い。２階の階段室にも換気扇２０−２が設置されており連続運転する。２階の陰圧室と前室以外の給気口（１９−１，１９−２，１９−３）、窓２１の位置は図１に示す通りである。
【００２３】
図２は本実施例の住宅の１階の間取り図である。１階の給気口（３２−１，３２−２、３２−２）、換気扇（３３−１，３３−２、３３−３，３３−４）、窓３４の位置は図２に示す通りである。図の左上角に位置する浴室２５および洗面脱衣室２６にはそれぞれ換気扇（３３−２，３３−４）が設置されており、患者が浴室あるいは洗面脱衣室を使用する際患者から発散する病原体は住宅外に排出され、住宅内に拡散するリスクは低い。
【００２４】
図３は実施例１に係る住宅の陰圧室及び前室を通る垂直な面で切断した断面図である。陰圧室１及び前室２、陰圧室給気口３，陰圧室クローゼット内天井埋込形換気扇（４−１）、陰圧室出入り口前天井埋込形換気扇（４−２）、陰圧室と前室の間の気密ドア７，陰圧室の窓８，前室と廊下の間の気密ドア９，前室の天井埋込形換気扇１０，前室の給気口１１，２階の陰圧室と前室以外の換気扇（２０−１，２０−２）と窓２１、１階の給気口（３２−１，３２−２）、換気扇（３３−２）、窓３４の位置を示す。
【符号の説明】
【００２５】
１      陰圧室
２      前室
３      陰圧室給気口
４−１  陰圧室クローゼット内天井埋込形換気扇
４−２  陰圧室出入り口前天井埋込形換気扇
５      クローゼット
６      物入
７      気密ドア（陰圧室と前室の間）
８      陰圧室窓
９      気密ドア（前室と廊下の間）
１０    前室天井埋込形換気扇
１１      前室の給気口
１２      ２階廊下
１３      階段
１４      洋室A
１５      洋室B
１６      寝室
１７      トイレ
１８      ウオークインクローゼット
１９―１  洋室Ｂの給気口
１９−２  洋室Ａの給気口
１９−３  寝室の給気口
２０―１  ２階トイレの換気扇
２０−２  ２階ウオークインクローゼットの換気扇
２１      ２階の陰圧室以外の窓
２２      リビングダイニングキッチン
２３      トイレ
２４      廊下
２５      浴室
２６      洗面脱衣室
２７      物入
２８      ホール
２９      玄関
３０      シューズクローク
３１      土間スペース
３２―１  リビングダイニングキッチンに設置された給気口
３２−２  １階物入に設置された給気口
３２−３  １階玄関に設置された給気口
３３−１  １階トイレに設置された換気扇
３３−２  洗面脱衣室に設置された換気扇
３３−３  キッチンに設置された換気扇
３３−４  浴室に設置された換気扇
３４      １階の窓
【要約】
【課題】感染症患者用の居室を有し、その居室から感染症患者から発散する病原体が室外に拡散することを防止できる仕組み及びその居室への人の出入りの際にも上記病原体が室外に漏出することを防止する仕組みを有しており、同居する家族への感染リスクが非常に低い住宅を提供する。
【解決手段】感染症患者の居室として陰圧室及びそれに接する前室を設置する。陰圧室の出入り口は前室に通ずる１ヵ所のみである。陰圧室には換気扇を２台設置し１台は出入り口から離れた場所に設置し常時連続運転し他の１台は出入り口の近傍に設置し人が陰圧室に出入りする時のみ運転する。前室の出入り口は陰圧室へ通ずる出入り口と廊下への出入り口の２か所のみである。前室に天井埋込形換気扇が設けられ常時連続運転する。該陰圧室のＣ値を１．０以下とすることが望ましい。
【選択図】図１【図１】
0006984936.tif 000002
【図２】
0006984936.tif 000003
【図３】
0006984936.tif 000004